【手続補正書】
【提出日】平成19年6月19日(2007.6.19)
【手続補正１】
【補正対象書類名】明細書
【補正対象項目名】発明の名称
【補正方法】変更
【補正の内容】
【発明の名称】画像認識装置及び画像認識方法
【手続補正２】
【補正対象書類名】明細書
【補正対象項目名】特許請求の範囲
【補正方法】変更
【補正の内容】
【特許請求の範囲】
【請求項１】  被写体に対して光を照射する光源手段と、
当該被写体からの反射光のうち、前記光源手段から照射される光の波長を含んだ特定の波長を有する光のみを抽出し通過させる抽出手段と、
当該抽出手段を通過した光を受光するように配置され、当該抽出手段を通過した光を画像信号に変換する撮像手段と、
当該撮像手段により出力される当該画像信号に基づき画像の認識処理を行う画像認識手段とを有することを特徴とする画像認識装置。
【請求項２】  前記光源手段は、赤色発光ダイオードであることを特徴とする請求項１記載の画像認識装置。
【請求項３】  前記抽出手段は、３原色の各色に対応したフィルタにより構成されることを特徴とする請求項１記載の画像認識装置。
【請求項４】  前記撮像手段は、３原色の画像信号のうち、前記光源手段の光源色に対応した色の画像信号のみを出力することを特徴とする請求項１記載の画像認識装置。
【請求項５】  前記撮像手段は、３原色の各色に対応する複数の画素を有し、当該３原色の各色に対応する複数の画素のうち、前記光源手段の光源色に対応した色に該当する画素のみの画像信号を間引き走査によって読み出すことにより、前記光源手段の光源色に対応した色の画像信号のみを出力することを特徴とする請求項４記載の画像認識装置。
【請求項６】  ２つの画像信号の差分を演算することにより一方の画像信号から不要な光成分を除去する除去手段を有し、
前記撮像手段は、前記光源手段が光を照射しなかったとき及び光を照射したときの画像信号をそれぞれ出力し、当該除去手段は、前記撮像手段により出力された当該両信号の差分を演算し、当該演算結果に基づき当該光が照射されたときの画像信号から不要な光成分を除去することを特徴とする請求項１記載の画像認識装置。
【請求項７】  光源手段により被写体に対して光を照射させる照射ステップと、
当該被写体からの反射光のうち、前記光源手段から照射される光の波長を含んだ特定の波長を有する光のみを抽出手段により抽出し通過させる抽出ステップと、
当該抽出手段を通過した光を受光するよう配置され、当該抽出手段を通過した光を撮像手段により画像信号に変換する撮像ステップと、
当該撮像手段により出力される当該画像信号に基づき画像認識手段により画像の認識処理を行う画像認識ステップと、を有することを特徴とする画像認識方法。
【請求項８】  前記光源手段は、赤色発光ダイオードであることを特徴とする請求項７記載の画像認識方法。
【請求項９】  前記抽出手段は、３原色の各色に対応したフィルタにより構成されることを特徴とする請求項７記載の画像認識方法。
【請求項１０】  前記撮像ステップでは、３原色の画像信号のうち、前記光源手段の光源色に対応した色の画像信号のみを前記撮像手段より出力させることを特徴とする請求項７記載の画像認識方法。
【請求項１１】  前記撮像ステップでは、前記撮像手段が有する３原色の各色に対応する複数の画素のうち、前記光源手段の光源色に対応した色に該当する画素のみの画像信号を間引き走査によって前記撮像手段から読み出すことにより、前記光源手段の光源色に対応した色の画像信号のみを前記撮像手段から出力させることを特徴とする請求項１０記載の画像認識方法。
【請求項１２】  ２つの画像信号の差分を演算することにより一方の画像信号から不要な光成分を除去する除去ステップを有し、
前記撮像ステップでは、前記光源手段が光を照射しなかったとき及び光を照射したときの画像信号を前記撮像手段からそれぞれ出力し、当該除去ステップでは、前記撮像手段により出力された当該両信号の差分を演算し、当該演算結果に基づき当該光が照射されたときの画像信号から不要な光成分を除去することを特徴とする請求項７記載の画像認識方法。
【手続補正３】
【補正対象書類名】明細書
【補正対象項目名】０００１
【補正方法】変更
【補正の内容】
【０００１】
【発明の属する技術分野】
本発明は、被写体の画像を認識することが可能な技術に関するものである。
【手続補正４】
【補正対象書類名】明細書
【補正対象項目名】０００５
【補正方法】変更
【補正の内容】
【０００５】
【課題を解決するための手段】
本発明の画像認識装置は、被写体に対して光を照射する光源手段と、当該被写体からの反射光のうち、前記光源手段から照射される光の波長を含んだ特定の波長を有する光のみを抽出し通過させる抽出手段と、当該抽出手段を通過した光を受光するように配置され、当該抽出手段を通過した光を画像信号に変換する撮像手段と、当該撮像手段により出力される当該画像信号に基づき画像の認識処理を行う画像認識手段とを有することを特徴とする。
本発明の画像認識方法は、光源手段により被写体に対して光を照射させる照射ステップと、当該被写体からの反射光のうち、前記光源手段から照射される光の波長を含んだ特定の波長を有する光のみを抽出手段により抽出し通過させる抽出ステップと、当該抽出手段を通過した光を受光するよう配置され、当該抽出手段を通過した光を撮像手段により画像信号に変換する撮像ステップと、当該撮像手段により出力される当該画像信号に基づき画像認識手段により画像の認識処理を行う画像認識ステップと、を有することを特徴とする。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２４
【補正方法】変更
【補正の内容】
【００２４】
本発明の一実施形態における画像認識装置の構成を図１に示す。図１において、１０は被写体、２０は被写体を照射する特別に設けた光源手段、３０は被写体からの反射光を集光し撮像手段に導く光学手段、４０は光源手段２０の光源波長を通過させるフィルタ手段、５０は被写体の反射像を画像信号に変換する撮像手段、６０は撮像手段からの画像信号から必要とする指紋画像信号やバーコード信号を判別し易いように画像処理する信号処理手段、７０は信号処理手段６０から出力される画像信号より画像認識を行う画像認識手段、８０は被写体像をモニター等の表示手段である。なお、光源手段２０は、本発明の光源手段の一構成例である。フィルタ手段４０は、本発明の抽出手段の一構成例である。撮像手段５０は、本発明の撮像手段の一構成例である。画像認識手段７０は、本発明の画像認識手段の一構成例である。
【手続補正２３】
【補正対象書類名】明細書
【補正対象項目名】００３４
【補正方法】変更
【補正の内容】
【００３４】
本発明の第３の実施形態を図５−（Ｃ）に示す。この実施形態では第１の実施形態に対しさらに外乱光の影響を改善するものである。撮像センサは、ＬＥＤの不点灯時の蓄積信号をｆｖ１期間に読み出し、ＬＥＤ点灯時の信号をｆｖ３期間に読み出し、後段の除去手段が両方の信号の差分を演算し、その結果に基づいてＬＥＤ点灯時の信号から不要光成分を除去する。この場合ＬＥＤの点灯期間は２ｆｖ期間必要である。ＬＥＤの消費電力を低減するには画素アンプのゲート部を画素メモリとして利用すれば、１ｆｖ期間のＬＥＤ点灯期間に短縮できる。図７は図１の被写体を指とし、本実施形態の画像認識装置を指紋照合装置に適用した場合の図である。なお、撮像センサは、本発明の除去手段の一構成例である。